(57)【要約】【課題】注文者によって製作された大容量の印刷物ファイルのサイズを検査した後、異常がなければ、ＰＤＦファイルに自動変換して印刷作業が行えるようにすることにより、注文者使用の運用体制またはプログラムに影響されることなく全ての作業が行われるようにした、ＰＤＦ自動変換方式を用いた印刷物注文システムを提供する。【解決手段】Ｗｅｂサーバに印刷物注文情報が登録され且つ受付情報があれば、アプリケーションサーバでイメージ情報を検査する検査段階と、検査段階で検査が完了した正常的なイメージファイルを品目別サーバでＰＤＦファイルに変換し、ＰＤＦファイル名を張り込み板に配列する組版作業を行う組版段階と、張り込み板に残余量がなければ、品目別サーバからＰＤＦファイルを読み出して、組版された位置に配列する張り込み段階と、張り込み段階で完成した張り込み板情報を作業指示情報と共に各パート別コンピュータに提供する段階と、各パート別コンピュータの作業進行情報をＷｅｂサーバに提供する段階とを含んでなる。【選択図】図１
2005332358.tif 000002
【特許請求の範囲】
【請求項１】
注文者コンピュータ（１０）にインターネット網で連結されて注文者情報と運用体制タイプ情報、印刷物品目情報、及び注文者作成のイメージ情報が含まれた注文情報とを受信し、注文者コンピュータの要請によって印刷物作業進行情報を提供するＷｅｂサーバ（１）と、前記注文情報中のイメージ情報を当該運用体制のプログラムで開いて修正作業を行う、ＩＢＭまたはＭａｃ運用体制を有する受付パートコンピュータ（２１ａ、２１ｂ）と、前記運用体制タイプ情報に応じて注文情報が格納されるＩＢＭサーバ（７）及びＭａｃサーバ（８）と、金融機関のサーバに連結され、一定時間毎に入金情報の提供を受けるＣＭＳサーバ（６）と、前記注文情報を、運用体制タイプ情報に該当する運用体制を有する受付パートコンピュータ（２１ａ、２１ｂ）に提供し、登録された注文情報を運用体制タイプ情報に応じてＩＢＭサーバ（７）またはＭａｃサーバ（８）にそれぞれ格納し、受付パートコンピュータ（２１ａ、２１ｂ）で修正されたイメージ情報を検査して異常がない場合には、印刷物項目情報に応じて品目別サーバに区分して格納し、異常がある場合には、受付パートコンピュータ（２１ａ、２１ｂ）に修正要請情報を提供し、入金完了情報があれば、ＰＤＦ変換ファイル名を張り込み板に配置する組版作業が行われ、組版完成情報があれば、ＰＤＦ変換ファイルを組版された位置に読み出して張り込み板を完成し、ロット番号に対応する張り込み板ファイル名を与えるとともに作業パート別コンピュータに作業指示情報を提供し、これによる作業完了情報を受けるアプリケーションサーバ（２）と、前記アプリケーションサーバ（２）で検査されたイメージ情報をＰＤＦファイルに変換した後、変換されたＰＤＦファイルを格納する品目別サーバとを備える、ＰＤＦ自動変換方式を用いた印刷物注文システム。
【請求項２】
前記アプリケーションサーバ（２）は、注文情報を検査して受付完了またはエラー情報を、Ｗｅｂサーバ（１）を介して登録された注文者の電子メールアドレスと携帯電話へ伝送することを特徴とする請求項１記載のＰＤＦファイル自動変換方式を用いた印刷物注文システム。
【請求項３】
前記アプリケーションサーバ（２）は、作業パート別コンピュータから作業進行情報をＷｅｂサーバ（１）を介して注文者コンピュータ（１０）に提供することを特徴とする請求項１記載のＰＤＦファイル自動変換方式を用いた印刷物注文システム。
【請求項４】
前記作業パート別コンピュータは、フィルムパートコンピュータ（２４）、印刷パートコンピュータ（２５）、断裁パートコンピュータ（２６）、梱包パートコンピュータ（２７）、出庫パートコンピュータ（２８）からなることを特徴とする請求項３記載のＰＤＦファイル自動変換方式を用いた印刷物注文システム。
【請求項５】
前記作業パート別コンピュータには、アプリケーション（２）の作業指示情報とＰＤＦファイルに変換されたイメージ情報がＷｅｂサーバ（１）を介して提供されることを特徴とする請求項３記載のＰＤＦファイル自動変換方式を用いた印刷物注文システム。
【請求項６】
前記アプリケーションサーバ（２）は、受付パートコンピュータ（２１ａ）で修正されたＩＢＭタイプイメージファイルの横桁数と縦桁数を比較して注文サイズと実際イメージサイズとが一致すると、断裁線情報を提供し、非規格サイズの場合には、断裁注意情報を追加したイメージファイルを品目別サーバに格納することを特徴とする請求項１記載のＰＤＦファイル自動変換方式を用いた印刷物注文システム。
【請求項７】
前記アプリケーションサーバ（２）は、受付パートコンピュータ（２１ｂ）で修正されたＭａｃタイプイメージファイルに断裁線情報を提供し、非規格サイズの場合には、断裁注意情報を追加したイメージファイルを品目別サーバに格納することを特徴とする請求項１記載のＰＤＦファイル自動変換方式を用いた印刷物注文システム。
【請求項８】
前記品目別サーバは、アプリケーションサーバ（２）で検査されたイメージ情報のファイルに該当する表、裏頁数だけの新しい頁を生成する段階と、表頁のグループ個体のうち一つを選択して作業領域の外部へ移動させる段階と、新しい頁に、作業領域の外部へ移動した表頁個体を中央整列させる段階と、表頁のグループ個体のうち選択された個体に対応する表頁の個体を選択して作業領域の外部へ移動させる段階と、新しい頁に、作業領域の外部へ移動した裏頁個体を中央整列させる段階と、最後の個体の場合、プリンタの種類及び印刷紙のサイズを現在のイメージ環境に合わせて設定値を変更する段階と、設定値が変更されたイメージをＡｃｒｏｂａｔプログラムの駆動によってＰＤＦファイルに変換し、新しいファイル名で格納する段階とからなることを特徴とする請求項１記載のＰＤＦファイル自動変換方式を用いた印刷物注文システム。
【請求項９】
前記ＰＤＦ自動変換プログラムによって変換されたＰＤＦファイル名は、印刷物項目、受付日付、受付順番、表裏頁のイメージが区分できるように与えられることを特徴とする請求項８記載のＰＤＦファイル自動変換方式を用いた印刷物注文システム。
【請求項１０】
前記アプリケーションサーバ（２）は、選択された残余張り込み板とコーティング／非コーティング項目情報が一致する残余張り込み板を検索する第１段階と、第１段階で検索された残余張り込み板のうち、印刷度数が選択された残余張り込み板の印刷度数より少ない残余張り込み板を検索する第２段階と、第２段階で検索された残余張り込み板のうち紙質情報が一致する残余張り込み板を検索する第３段階と、第３段階で検索された残余張り込み板のうち、枚数が選択された残余張り込み板の枚数より少ない残余張り込み板を検索する段階とからなる合版プログラムを有することを特徴とする請求項１記載のＰＤＦファイル自動変換方式を用いた印刷物注文システム。
【請求項１１】
Ｗｅｂサーバ（１）に印刷物注文情報が登録され且つ受付情報があれば、アプリケーションサーバ（２）でイメージ情報を検査する検査段階と、検査段階で検査が完了した正常的なイメージファイルを品目別サーバでＰＤＦファイルに変換し、ＰＤＦファイル名を張り込み板に配列する組版作業を行う組版段階と、張り込み板に残余量がなければ、品目別サーバからＰＤＦファイルを読み出して、組版された位置に配列する張り込み段階と、張り込み段階で完成した張り込み板情報を作業指示情報と共に各パート別コンピュータに提供する段階と、各パート別コンピュータの作業進行情報をＷｅｂサーバに提供する段階とを含んでなるＰＤＦファイル自動変換方式を用いた印刷物注文方法。
【請求項１２】
前記注文情報には、イメージファイルを作成した運用体制タイプ情報が含まれていることを特徴とする請求項１１記載のＰＤＦファイル自動変換方式を用いた印刷物注文方法。
【請求項１３】
前記アプリケーション（２）は、注文情報を、運用体制タイプ情報に対応する運用体制とイメージファイルを開くことが可能なプログラムとを有する受付パートコンピュータ（２１ａ、２１ｂ）に提供することを特徴とする請求項１２記載のＰＤＦファイル自動変換方式を用いた印刷物注文方法。
【請求項１４】
前記検査段階で注文情報に異常があれば、受付パートコンピュータに修正要請情報を提供することを特徴とする請求項１１記載のＰＤＦファイル自動変換方式を用いた印刷物注文方法。
【請求項１５】
前記検査段階が完了すると、検査結果情報を、Ｗｅｂサーバ（１）を介して登録された注文者の電子メールアドレスと携帯電話へ伝送することを特徴とする請求項１１記載のＰＤＦファイル自動変換方式を用いた印刷物注文方法。
【発明の詳細な説明】
【技術分野】
【０００１】
本発明は、ＰＤＦファイル自動変換方式を用いた印刷物注文システム及びその方法に関し、特に、注文者によって製作された大容量の印刷物ファイルのサイズを検査した後、異常がなければＰＤＦファイルに自動変換して印刷作業が行えるようにすることにより、注文者使用の運用体制またはプログラムに影響されることなく全ての作業が行われるようにした印刷物注文システムに関する。
【背景技術】
【０００２】
一般に、デザイナーによって作成された印刷物ファイルの容量が大きく、デザイナー使用のプログラムが多様なので、このファイルをインターネットによって伝送されて必要な段階に提供し適切に処理するということは現実的に不可能であった。
【０００３】
特に、問題となるのは、インターネット上で行われる注文システムがＩＢＭ社の運用体制を基準として構築される反面、印刷物のデザイン作業にはグラフィックユーザインタフェースやウィンドウなどがＩＢＭ社に比べて先に実現されたアップル社のＭａｃ運用体制を使用するプログラムによって作業するデザイナーが多いということにある。
【０００４】
従来、インターネット上で印刷物を注文するように提案されたシステムは、かかる問題によって注文者作成の印刷物ファイルを使用せず、Ｗｅｂ管理者によってホームページ上に載せられたイメージファイルを選択して配置する編集作業のみを行った後、注文するようにしている。
【０００５】
ところが、Ｗｅｂ管理者によって提供されるイメージファイルは、極めて制限的なので、注文者の様々な要求を充足させることができなかった。
【０００６】
本出願人は、互いに異なる運用体制とプログラムを使用する注文者によって提供されるファイルをＰＤＦファイルに自動変換すると、大容量による問題及び他の運用体制とプログラムを用いた作業時の問題を解決することができるという点に着目して本発明を案出するに至った。
【発明の開示】
【発明が解決しようとする課題】
【０００７】
本発明の技術的課題は、注文者によって製作された大容量の印刷物ファイルのサイズを検査した後、異常がなければ、ＰＤＦファイルに自動変換して印刷作業が行えるようにすることにより、注文者使用の運用体制またはプログラムに影響されることなく全ての作業が行われるようにした、ＰＤＦ自動変換方式を用いた印刷物注文システムを提供することにある。
【課題を解決するための手段】
【０００８】
本発明の技術的課題は、注文者のコンピュータにインターネット網で連結されて注文者情報と運用体制タイプ情報、印刷物品目情報及び注文者作成のイメージ情報が含まれた注文情報とを受信し、注文者コンピュータの要請によって印刷物作業進行情報を提供するＷｅｂサーバと、前記注文情報中のイメージ情報を当該運用体制のプログラムで開いて修正作業を行う、ＩＢＭまたはＭａｃ運用体制を有する受付パートコンピュータと、前記運用体制タイプ情報に応じて注文情報が格納されるＩＢＭサーバ及びＭａｃサーバと、金融機関のサーバに連結され、一定時間毎に入金情報の提供を受けるＣＭＳサーバと、前記注文情報を、運用体制タイプ情報に対応する運用体制を有する受付パートコンピュータに提供し、登録された注文情報を運用体制タイプ情報に応じてＩＢＭサーバまたはＭａｃサーバに区分して格納し、受付パートコンピュータで修正されたイメージ情報を検査して、異常がなければ、印刷物項目情報に応じて品目別サーバに区分して格納し、異常があれば、受付パートコンピュータに修正要請情報を提供し、入金完了情報があれば、ＰＤＦ変換ファイル名を張り込み板に配置する組版作業が行われ、組版完成情報があれば、ＰＤＦ変換ファイルを組版された位置に読み出して張り込み板を完成し、ロット番号に対応する張り込み板ファイル名を与えるとともに作業パート別コンピュータに作業指示情報を提供し、これによる作業完了情報を受けるアプリケーションサーバと、前記アプリケーションサーバで検査されたイメージ情報がＰＤＦファイルに変換されて格納される品目別サーバとを含んでなる、印刷物注文システムによって達成される。
【０００９】
本発明の技術的課題は、Ｗｅｂサーバに印刷物注文情報が登録され且つ受付情報があれば、アプリケーションサーバでイメージ情報を検査する検査段階と、検査段階で検査が完了した正常的なイメージファイルを品目別サーバでＰＤＦファイルに変換し、ＰＤＦファイル名を張り込み板に配列する組版作業を行う組版段階と、張り込み板に残余量がなければ、品目別サーバからＰＤＦファイルを読み出して、組版された位置に配列する張り込み段階と、張り込み段階で完成した張り込み板情報を作業指示情報と共に各パート別コンピュータに提供する段階と、各パート別コンピュータの作業進行情報をＷｅｂサーバに提供する段階とを含んでなる、ＰＤＦファイル自動変換方式を用いた印刷物注文方法によって達成される。
【発明の効果】
【００１０】
本発明は、注文者によって製作された大容量の印刷物ファイルのサイズを検査した後、異常がなければ、ＰＤＦファイルに自動変換して印刷作業が行えるようにすることにより、注文者使用の運用体制またはプログラムに影響されることなく全ての作業が行われるようにした効果のある有用な発明である。
【発明を実施するための最良の形態】
【００１１】
以下、本発明の好適な実施例を添付図面に基づいて詳細に説明する。
【００１２】
図１は本発明の印刷物注文システムを全体的に示す概念図である。図１に示すように、本発明の印刷物注文システムは、注文者コンピュータ１０にインターネット網で連結されて注文者情報と運用体制タイプ情報、印刷物品目情報及び注文者作成のイメージ情報が含まれた注文情報とを受信し、注文者コンピュータの要請によって印刷物作業進行情報を提供するＷｅｂサーバ１と、前記注文情報中のイメージ情報を当該運用体制のプログラムで開いて修正作業を行う、ＩＢＭまたはＭａｃ運用体制を有する受付パートコンピュータ２１ａ、２１ｂと、前記運用体制タイプ情報に基づいて注文情報が格納されるＩＢＭサーバ７及びＭａｃサーバ８と、金融機関サーバに連結されて一定時間毎に入金情報を提供されるＣＭＳサーバ６と、前記注文情報を、運用体制タイプ情報に対応する運用体制を有する受付パートコンピュータ２１ａ、２１ｂに提供し、登録された注文情報を運用体制タイプ情報に応じてＩＢＭサーバ７またはＭａｃサーバ８にそれぞれ格納し、受付パートコンピュータ２１ａ、２１ｂで修正されたイメージ情報を検査して異常がなければ、印刷物項目情報に応じて品目別サーバに区分して格納し、異常があれば、受付パートコンピュータ２１ａ、２１ｂに修正要請情報を提供し、入金完了情報があれば、ＰＤＦ変換ファイル名を張り込み板に配置する組版作業が行われ、組版完成情報があれば、ＰＤＦ変換ファイルを組版された位置に読み出して張り込み板を完成し、ロット番号に対応する張り込み板のファイル名を与えるとともに作業パート別コンピュータに作業指示情報を提供し、これによる作業完了情報を受けるアプリケーションサーバ２と、前記アプリケーションサーバ２で検査されたイメージ情報がＰＤＦファイルに変換されて格納される品目別サーバとを含んでなる。
【００１３】
前記品目別サーバは、名刺サーバ３、輸入紙サーバ４及びチラシサーバ５から構成される。
【００１４】
前記作業パート別コンピュータは、フィルムパートコンピュータ２４、印刷パートコンピュータ２５、断裁パートコンピュータ２６、梱包パートコンピュータ２７及び出庫パートコンピュータ２８から構成される。
【００１５】
前記Ｗｅｂサーバ１には、インターネットを介して連結された注文者コンピュータ１０から注文者情報と運用体制タイプ情報、印刷物品目情報及び注文者作成のイメージ情報が含まれた注文情報とが提供される。Ｗｅｂサーバ１は、注文ホームページのログイン時に提供されるＩＤとパスワードが注文者データベースにあるか否かを検索し、一致する情報がある場合、注文者コンピュータ１０の要請によって注文者登録情報、注文受付情報、作業進行情報を提供する。
【００１６】
前記受付パートコンピュータは、ＩＢＭ運用体制を有するもの２１ａとＭａｃ運用体制を有するもの２１ｂとに区分されている。Ｗｅｂサーバ１は、受付パートコンピュータの運用体制と一致するタイプの情報を有する注文情報を提供する。
【００１７】
前記受付パートコンピュータ２１ａ、２１ｂは、Ｗｅｂサーバ１を介して注文者コンピュータ１０から注文情報が登録されると、必要な事項を確認し修正事項を修正して異常がなければ、受付情報をアプリケーションサーバ２に提供する。受付情報を受け取ったＷｅｂサーバ１は、注文情報を運用体制タイプ情報に応じてＩＢＭサーバ７またはＭａｃサーバ８にそれぞれ格納する。受付情報を受け取ったアプリケーションサーバ２は、注文情報を検査して異常がなければ、受付パートコンピュータ２１ａ、２１ｂで修正されたイメージファイルを品目別サーバに格納するとともに受付完了情報をＷｅｂサーバ１に提供し、異常があれば、修正要請情報を受付パートコンピュータ２１ａ、２１ｂに提供する。
【００１８】
受付完了情報がある場合、Ｗｅｂサーバ１は、注文者情報の電子メールアドレスと携帯電話へ受付完了メッセージを知らせる。
【００１９】
前記名刺サーバ３、輸入紙サーバ４、チラシサーバ５からなる品目別サーバは、ＣＭＳサーバ６から入金完了情報がある場合、検査済みのイメージ情報をＰＤＦファイルに自動変換して新しいファイル名で格納し、組版プログラムによって新しいファイル名で張り込み板に組み込む組版作業を行った後、組版完成情報があれば、張り込みプログラムを駆動させて張り込み板にＰＤＦファイルを読み出して配置する張り込み作業を行い、完成した張り込みファイルにロット番号に対応するファイル名を与える。
【００２０】
前記品目別サーバは、印刷物品目情報に応じて格納情報を区分して管理することにより、システムの運用を円滑にするためのもので、取り扱うべき印刷物の種類及び処理すべき情報の量に応じてサーバの数及び種類を増加或いは減少させることができる。
【００２１】
前記ＣＭＳサーバ６は、金融機関サーバに専用回線またはインターネットを介して連結されて入金情報が提供されるもので、一定時間毎に金融機関サーバからの入金情報をアプリケーションサーバ２に提供する。
【００２２】
前記ＩＢＭサーバ７とＭａｃサーバ８には、受付パートコンピュータ２１ａ、２１ｂからの受付情報があれば、運用体制タイプ情報に応じて注文情報が格納される。
【００２３】
前記アプリケーションサーバ２は、システムに連結されたパート別コンピュータに許された範囲内で必要な情報を提供し、パート別コンピュータで処理された情報を受けて、Ｗｅｂサーバ１を介して注文者コンピュータ１０が要請する注文登録情報、注文受付情報及び段階別作業進行情報を提供し、組版及び張り込みプログラムを駆動して組版及び張り込み作業を行う。
【００２４】
前記経理パートコンピュータ２２は、金融機関サーバにインターネットまたは専用線によって連結されたＣＭＳサーバ６から一定時間毎に入金情報を受信して注文情報と比較し、入金を確認した後入金確認情報を品目別サーバに提供する役割を果たす。
【００２５】
前記張り込みパートコンピュータ２３は、入金確認情報のある注文情報を確認してアプリケーションサーバ２に組版プログラム駆動情報を提供し、組版作業が完了すると、アプリケーションサーバ２に張り込みプログラムの駆動情報を提供する。
【００２６】
前記フィルムパートコンピュータ２４は、張り込みプログラムによって完成した張り込み板ファイルと共に作業指示情報を受ける。フィルムパートでは、張り込み板ファイルを用いてフィルムを出力した後、フィルムパートコンピュータ２４を介してフィルム作業完了情報をアプリケーソンサーバ２に提供する。
【００２７】
前記印刷パートコンピュータ２５、断裁パートコンピュータ２６、梱包パートコンピュータ２７は作業指示情報を受ける。各パートでは、段階別に作業を行った後、パート別コンピュータ２５、２６、２７を介して作業進行情報をアプリケーションサーバ２に提供する。
【００２８】
前記出庫パートコンピュータ２８は、入庫確認情報と出庫確認情報をアプリケーションサーバ２に提供する。
【００２９】
図２はＷｅｂサーバ１から注文者コンピュータ１０に提供する印刷物注文ページである。印刷物注文ページは、図２に示したように、印刷物の製品品目を選択する部分、Ｗｅｂサーバ１に登録された注文者会員情報部分、注文内容確認部分、注文者作成のファイルを添付する部分、及び配送・決済方式を入力する部分から構成される。
【００３０】
注文者は、印刷物情報として品目情報とサイズ情報を含んだ製品の細部項目情報、そして運用体制情報を含んだ、注文者によって作成されたイメージ情報、配送情報、決済口座情報など必要な事項を入力する。
【００３１】
図３は印刷物注文ページの製品品目の中から一つを選択したとき、運用体制タイプ情報、サイズ情報を含んだ製品の細部項目情報を入力するために提供されるページを示す図である。
【００３２】
運用体制タイプ情報、注文者情報、印刷物品目情報、イメージ情報などを含む注文情報が注文者コンピュータ１０からＷｅｂサーバ１に登録されると、Ｗｅｂサーバ１は、注文情報と共に注文情報による注文額情報を受付パートコンピュータ２１ａ、２１ｂに提供する。
【００３３】
図４は受付パートコンピュータ２１ａ、２１ｂに提供される注文管理画面を示す図である。
【００３４】
受付者が受付結果項目で受付されていない項目を選択すると、アプリケーションサーバ２の受付プログラムの駆動によって、図５に示したような受付画面が当該受付パートコンピュータ２１ａ、２１ｂに提供される。受付者は、各項目に異常がなければ、受付画面のダウンロード項目をクリックすると、注文者が伝送してＷｅｂサーバ１に提供されたイメージファイルが運用体制タイプ情報に応じてＩＢＭサーバ７またはＭａｃサーバ８に格納する。
【００３５】
この状態でＩＢＭサーバ７またはＭａｃサーバ８からダウンロード完了情報があれば(図６においてダウンロード完了確認項目をクリックすると)、アプリケーションサーバ２は、受付パートコンピュータ２１ａ、２１ｂのプログラムのうち、ファイル拡張子に対応するプログラム、すなわち注文者使用のプログラムを駆動して、格納された当該イメージファイルを開く。
【００３６】
受付者は、図７に示すように、Ｗｅｂサーバ１から提供する注文情報と開いたイメージファイルを見て、前、後に該当するイメージが存在するか、注文サイズと当該イメージサイズが一致するか、ビットマップ処理が施されたか、ペーパーサイズとイメージサイズが一致するか否かを確認し、一致しなければ、修正した後、受付完了情報を与えると、イメージ検査プログラムが駆動されて、修正されたイメージファイルに対する検査が行われた後、異常がない場合には、印刷物の品目情報に応じて名刺サーバ３、輸入紙サーバ４、チラシサーバ５のいずれか一つに修正済みのイメージファイルが格納され、異常がある場合には、受付パートコンピュータ２１ａ、２１ｂに修正要請情報を提供する。
【００３７】
アプリケーションサーバ２においてＩＢＭ運用体制で作成されたイメージファイル検査は、図８に示すように、受付パートコンピュータ２１ａで修正されたイメージファイルの横桁数と縦桁数を比較して注文サイズと実際イメージサイズとが一致するか否かを判断し、一致しなければ、全ての受付パートコンピュータ２１ａに修正要請メッセージを提供する段階と、断裁線情報を提供する段階と、注文サイズとイメージサイズが一致すれば、注文サイズが規格サイズなのか否かを判断し、非規格サイズの場合には断裁注意情報を追加する段階とから構成される。
【００３８】
運用体制タイプ情報がＭａｃの場合、検査過程は、図９に示すように、受付者がダウンロード完了確認情報を入力すると、受付パートコンピュータ２１ｂで修正されたイメージファイルに断裁線情報を提供する段階と、注文者によって入力された注文サイズ情報が非規格サイズの場合には断裁注意情報を追加する段階とから構成される。
【００３９】
Ｗｅｂサーバ１は、アプリケーションサーバ２からの受付完了または誤り情報をホームページを介して注文者コンピュータ１０に提供するとともに、これを注文者情報に登録された電子メールアドレス、携帯電話へ通報する。
【００４０】
名刺サーバ３、輸入紙サーバ４、チラシサーバ５は、イメージ検査過程を経て格納されたイメージファイルをＰＤＦファイルに自動変換させる。
【００４１】
図１０及び図１１は検査済みのイメージ情報が自動変換プログラムでＰＤＦファイルへ自動変換される過程を示す順序図である。ＰＤＦファイルへの自動変換過程は、イメージ情報のファイルに対応する表、裏頁数だけの新しい頁を生成する段階と、表頁のグループ個体のいずれか一つを選択して作業領域外部へ移動させる段階と、新しい頁に、作業領域の外部へ移動した表頁の個体を中央整列させる段階と、表頁のグループ個体の中から選択された個体に対応する裏頁の個体を選択して作業領域の外部へ移動させる段階と、新しい頁に、作業領域の外部に移動した裏頁の個体を中央整列させる段階と、最後の個体の場合、プリンタの種類及び印刷紙サイズの設定値を現在のイメージ環境に合わせて変更する段階と、設定値が変更されたイメージをＡｃｒｏｂａｔプログラムの駆動によってＰＤＦファイルに変換し、新しいファイル名で格納する段階とからなる。
【００４２】
変換されたＰＤＦファイル名は、受付情報を用いて印刷物項目、受付日付、受付順番、表裏頁のイメージを区分することが可能な形式で与えられる。
【００４３】
ＣＭＳサーバ６は、金融機関のサーバに専用回線またはインターネットを介して連結されて入金情報が提供されるもので、一定時間毎に金融機関のサーバからの入金情報をアプリケーションサーバ２に提供する。
【００４４】
アプリケーションサーバ２は、経理パートコンピュータ２２に入金情報と注文情報を提供する。経理パートコンピュータ２２では、注文情報に対応する入金情報があれば、これを確認する。経理パートコンピュータ２２の入金完了情報がアプリケーションサーバ２に入力されると、入金確認された注文情報に対応するＰＤＦ自動変換ファイル名を当該品目別サーバから読み出して品種、印刷枚数、印刷色度、紙質、コーティング有無別に区分し、生成された張り込み板に位置させる組版プログラムが駆動される。
【００４５】
図１２は入金完了情報に基づいて自動組版中の張り込み板の状態が張り込みパートコンピュータ２３にディスプレイされる状態を示す図、図１３は経理パートコンピュータ２２の入金完了情報に基づいてＷｅｂサーバ１で自動組版中の一つの張り込み板が張り込みパートコンピュータ２３にディスプレイされる状態を示す図である。
【００４６】
張り込みパートコンピュータ２３では、張り込み板に割り当てられた量（版サイズ）と受付量が一致して組版が完了すると、組版完了情報をＷｅｂサーバ１に提供する。Ｗｅｂサーバ１は、当該製品サーバ３、４、５からＰＤＦ変換ファイルを読み出し、組版された情報に基づいて配置する張り込み作業を行うとともに当該張り込み板に対するロット番号を与える。アプリケーションサーバ２は、ロット番号で管理される作業指示書を作って、完成した張り込みファイルと共にフィルム及び印刷パートコンピュータ２４、２５に提供する。
【００４７】
一方、一日の受付及び入金が全て完了すると、張り込みパートコンピュータ２３は合版プログラムを駆動する。
【００４８】
図１４は張り込みパートコンピュータ２３で合版が行われる画面を示す図である。
【００４９】
張り込みパートコンピュータ２３の合版画面から、組版が完成していない残余張り込み板を選択すると、選択された残余張り込み板の注文情報のうち合版可能な残余張り込み板を検索し、図１４に示すように画面下部に表示し、合版開始情報を与えると、合版作業が行われ、合版作業完了情報があれば、品目別サーバからＰＤＦファイルを読み出して、合版された位置に配置する張り込みプログラムが駆動される。
【００５０】
図１５は合版可能な残余張り込み板が選択される過程を示す順序図である。この残余張り込み板の選択過程は、選択された残余張り込み板とコーティング／非コーティング項目情報が一致する残余張り込み板を検索する第１段階と、第１段階で検索された残余張り込み板のうち印刷度数が選択された残余張り込み板の印刷度数より少ない残余張り込み板を検索する第２段階と、第２段階で検索された残余張り込み板のうち、紙質情報が一致する残余張り込み板を検索する第３段階と、第３段階で検索された残余張り込み板の枚数が、選択された残余張り込み板の枚数より少ない残余張り込み板を検索する第４段階とからなる。
【００５１】
このように合版作業が行われた後にも、残余張り込み板に対しては繰り越し処理されるが、張り込みパートコンピュータ２３の繰り越し情報はＷｅｂサーバ１を介して注文者に通報される。
【００５２】
フィルム及び印刷作業が、1：１の通信網で連結されない会社で行われる場合には、ロット番号で管理される作業指示情報と完成した張り込みファイルが、Ｗｅｂサーバ１にインターネット網で連結された当該会社のサーバを介して提供される。
【００５３】
前記作業指示情報によって出力される作業指示書はフィルム出力、焼付、印刷、コーティング、その他の後加工など各段階別作業内容だけでなく、作業指示時間、作業完了時間、作業会社などが記載される。
【００５４】
図１６は完成した張り込み板を示す図、図１７は本発明の印刷物注文方法を説明するための図である。
【００５５】
フィルム及び印刷パートで作業指示書に基づいて作業が完了した印刷物には、ロット番号及び断裁線が印刷されるだけでなく、非規格印刷物の場合には断裁注意表示も印刷される。断裁線によって断裁されて注文製品別に梱包された印刷物は出庫パートに入庫される。出庫パートではロット番号別に印刷物を分類して保管する。
【００５６】
前記フィルム及び印刷作業、断裁作業、梱包作業状態は、パート別コンピュータ２４、２５、２６、２７を介して、アプリケーションサーバ２とＷｅｂサーバ１に連結された注文者コンピュータ１０に実時間で提供される。
【００５７】
Ｗｅｂサーバ１に連結された注文者が出庫パートコンピュータ２８提供の入庫完了情報を確認した後印刷物を探していくと、出庫パートコンピュータ２８が出庫完了情報をアプリケーションサーバ２に提供することにより、印刷物の注文から出庫までの全作業が完了する。
【００５８】
本発明のシステムを用いる注文者は、インターネット網を介して直接作成したイメージ情報を注文情報に添付して提供するだけで、受付から印刷作業までの全過程に対する情報の提供を実時間で受けることができる。
【００５９】
図１７は本発明の印刷物注文方法を示す順序図である。本発明の印刷物注文方法は、同図に示すように、Ｗｅｂサーバ１に印刷物注文情報が登録され且つ受付情報があれば、アプリケーションサーバ２でイメージ情報を検査する検査段階と、検査段階で検査が完了した正常的なイメージファイルを品目別サーバでＰＤＦファイルに変換し、ＰＤＦファイル名を張り込み板に配列する組版作業を行う組版段階と、張り込み板に残余量がなければ、品目別サーバからＰＤＦファイルを読み出して、組版された位置に配列する張り込み段階と、張り込み段階で完成した張り込み板の情報を作業指示情報と共に各パート別コンピュータに提供する段階と、各パート別コンピュータの作業進行情報をＷｅｂサーバに提供する段階とからなる。
【００６０】
以上、本発明を実施例に限定して説明したが、本発明はこれらの実施例に限定されるものではない。また、本発明の技術的思想から逸脱しない範囲内で様々な変形実施が可能である。
【図面の簡単な説明】
【００６１】
【図１】本発明のシステムを示す概略図である。
【図２】本発明の印刷物注文ページを示す図である。
【図３】本発明の細部注文項目情報を入力するページを示す図である。
【図４】本発明の受付パートコンピュータに提供される受付管理ページを示す図である。
【図５】本発明の受付パートコンピュータに提供される受付ページを示す図である。
【図６】本発明の受付パートコンピュータに提供される受付ページにダウンロード完了項目がある状態を示す図である。
【図７】本発明の受付パートコンピュータにイメージファイルが開いた状態を示す図である。
【図８】本発明のアプリケーションサーバがＩＢＭ運用体制によって作成されたイメージ情報を検査する過程を示す図である。
【図９】本発明のアプリケーションサーバがＭａｃ運用体制によって作成されたイメージ情報を検査する過程を示す図である。
【図１０】本発明の品目別サーバがＩＢＭ運用体制によって作成されたイメージファイルをＰＤＦファイルに自動変換する過程を示す図である。
【図１１】本発明の品目別サーバがＭａｃ運用体制によって作成されたイメージファイルをＰＤＦファイルに自動変換する過程を示す図である。
【図１２】本発明の張り込みパートコンピュータに提供される張り込み管理ページを示す図である。
【図１３】本発明の張り込みパートコンピュータに提供される組版中の張り込み板を示すページ図である。
【図１４】本発明の張り込みパートコンピュータに提供される合版ページを示す図である。
【図１５】本発明のアプリケーションサーバが合版可能な残余張り込み板を検索する過程を示す図である。
【図１６】本発明の張り込みプログラムによって完成した張り込み板を示す図である。
【図１７】本発明の印刷物注文方法を説明するための図である。
【符号の説明】
【００６２】
１    Ｗｅｂサーバ
２    アプリケーションサーバ
３    名刺サーバ
４    輸入紙サーバ
５    チラシ紙
６    ＣＭＳサーバ
７    ＩＢＭサーバ
８    Ｍａｃサーバ
１０    注文者コンピュータ
２１    受付パートコンピュータ
２２    経理パートコンピュータ
２３    張り込みパートコンピュータ
２４    フィルムパートコンピュータ
２５    印刷パートコンピュータ
２６    断裁パートコンピュータ
２７    梱包パートコンピュータ
２８    出庫パートコンピュータ
【図１】
2005332358.tif 000003
【図２】
2005332358.tif 000004
【図３】
2005332358.tif 000005
【図４】
2005332358.tif 000006
【図５】
2005332358.tif 000007
【図６】
2005332358.tif 000008
【図７】
2005332358.tif 000009
【図８】
2005332358.tif 000010
【図９】
2005332358.tif 000011
【図１０】
2005332358.tif 000012
【図１１】
2005332358.tif 000013
【図１２】
2005332358.tif 000014
【図１３】
2005332358.tif 000015
【図１４】
2005332358.tif 000016
【図１５】
2005332358.tif 000017
【図１６】
2005332358.tif 000018
【図１７】
2005332358.tif 000019